(57)【要約】  本開示の態様は、ＴＤＤおよびキャリアアグリゲーションを使用して通信するための方法に関する。【選択図】      図１１
2014533900.tif 000002
【特許請求の範囲】
【請求項１】
基地局によって通信するための方法であって、
ユーザ機器（ＵＥ）が半二重（ＨＤ）または全二重（ＦＤ）で通信すべきか否かを判断することと、
前記判断に少なくとも部分的に基づいて異なるコンポーネントキャリア（ＣＣ）上のリソースまたは前記ＵＥとの通信をスケジュールすることと
を備える、方法。
【請求項２】
前記判断が、前記ＵＥのために取得された１つまたは複数のパラメータに基づいて行われる、請求項１に記載の方法。
【請求項３】
前記パラメータが、ＵＥロケーション、ＵＥ送信電力、ＵＥ受信電力、またはＵＥ送信電力とＵＥ受信電力との比のうちの少なくとも１つを備える、請求項２に記載の方法。
【請求項４】
前記判断が、ＨＤまたは全二重（ＦＤ）で通信を実行するための前記ＵＥの能力に関する前記ＵＥからのシグナリングに基づいて行われる、請求項１に記載の方法。
【請求項５】
前記判断が、前記ＵＥと通信するために使用されるリソース間の周波数分離に基づいて行われる、請求項１に記載の方法。
【請求項６】
前記判断が、アップリンク送信のために割り当てられたリソースとダウンリンク送信のために割り当てられたリソースとの比に基づいて行われる、請求項１に記載の方法。
【請求項７】
前記判断に関して前記ＵＥにシグナリングすることをさらに備える、請求項１に記載の方法。
【請求項８】
前記判断を変更することをさらに備える、請求項１に記載の方法。
【請求項９】
前記判断は、前記ＵＥからの予想される送信がないことに基づいてＦＤからＨＤに変更される、請求項８に記載の方法。
【請求項１０】
ＨＤ動作に限定されたＵＥと通信するときに、限られた数のサブフレーム構成が、異なるコンポーネントキャリア上で可能にされる、請求項１に記載の方法。
【請求項１１】
前記限られた数のサブフレーム構成は、アップリンク送信とダウンリンク送信とが異なるコンポーネントキャリア上の同じサブフレームにおいて構成される重複サブフレームの最大数に基づいて判断される、請求項１０に記載の方法。
【請求項１２】
ユーザ機器（ＵＥ）による半二重（ＨＤ）動作のための方法であって、
少なくとも１つのサブフレームについて、基地局によって前記ＵＥと通信するために使用される異なるコンポーネントキャリア（ＣＣ）上のアップリンクサブフレームとダウンリンクサブフレームとが重複することを判断することと、
前記少なくとも１つのサブフレーム中に送信すべきか受信すべきかを判断するための少なくとも１つの優先度付けルールに従うことと
を備える、方法。
【請求項１３】
前記少なくとも１つの優先度付けルールは、
前記ＵＥが前記少なくとも１つのサブフレーム中で送信すべきアップリンクデータまたは制御のうちの少なくとも１つを有する場合、前記ＵＥは前記少なくとも１つのサブフレーム中に送信すべきである
ことを規定する、請求項１２に記載の方法。
【請求項１４】
前記少なくとも１つの優先度付けルールはまた、
前記ＵＥは前記少なくとも１つのサブフレーム中に少なくとも１つのコンポーネントキャリア（ＣＣ）上のダウンリンク受信を停止すべきである
ことを規定する、請求項１３に記載の方法。
【請求項１５】
前記少なくとも１つの優先度付けルールはまた、
前記ＵＥは前記少なくとも１つのサブフレーム中に少なくとも１つのコンポーネントキャリア（ＣＣ）上のダウンリンク受信を継続すべきであることと、
信号品質が十分でない場合、対応するダウンリンク送信を破棄することと
を規定する、請求項１３に記載の方法。
【請求項１６】
前記少なくとも１つの優先度付けルールは、
前記ＵＥが送信すべきアップリンクデータを有する場合、前記ＵＥはすべてのＣＣ上のダウンリンク受信を停止すべきである
ことを規定する、請求項１３に記載の方法。
【請求項１７】
ＨＤまたは全二重（ＦＤ）で通信を実行するための前記ＵＥの能力に関して前記基地局にシグナリングすること
をさらに備える、請求項１２に記載の方法。
【請求項１８】
前記基地局が前記ＵＥをＨＤで通信していると見なすことを示す、前記基地局からのシグナリングを受信すること
をさらに備える、請求項１２に記載の方法。
【請求項１９】
ＦＤモードで動作すべきかＨＤモードで動作すべきかを判断することをさらに備える、請求項１２に記載の方法。
【請求項２０】
前記判断が、１つまたは複数のパラメータに基づいて行われる、請求項１９に記載の方法。
【請求項２１】
前記パラメータが、ＵＥロケーション、ＵＥ送信電力、ＵＥ受信電力、またはＵＥ送信電力とＵＥ受信電力との比のうちの少なくとも１つを備える、請求項２０に記載の方法。
【請求項２２】
前記判断が、ＨＤまたは全二重（ＦＤ）で通信を実行するための前記ＵＥの能力に関する前記ＵＥからのシグナリングに基づいて行われる、請求項１９に記載の方法。
【請求項２３】
前記判断が、アップリンク送信のために割り当てられたリソースとダウンリンク送信のために割り当てられたリソースとの比に基づいて行われる、請求項１９に記載の方法。
【請求項２４】
基地局によって通信するための装置であって、
ユーザ機器（ＵＥ）が半二重（ＨＤ）または全二重（ＦＤ）で通信すべきか否かを判断するための手段と、
前記判断に少なくとも部分的に基づいて異なるコンポーネントキャリア（ＣＣ）上のリソースまたは前記ＵＥとの通信をスケジュールするための手段と
を備える、装置。
【請求項２５】
ユーザ機器（ＵＥ）による半二重（ＨＤ）動作のための装置であって、
少なくとも１つのサブフレームについて、基地局によって前記ＵＥと通信するために使用される異なるコンポーネントキャリア（ＣＣ）上のアップリンクサブフレームとダウンリンクサブフレームとが重複することを判断するための手段と、
前記少なくとも１つのサブフレーム中に送信すべきか受信すべきかを判断するための少なくとも１つの優先度付けルールに従うための手段と
を備える、装置。
【請求項２６】
基地局によって通信するための装置であって、
ユーザ機器（ＵＥ）が半二重（ＨＤ）または全二重（ＦＤ）で通信すべきか否かを判断することと、前記判断に少なくとも部分的に基づいて異なるコンポーネントキャリア（ＣＣ）上のリソースまたは前記ＵＥとの通信をスケジュールすることとを行うように構成された少なくとも１つのプロセッサと、
前記少なくとも１つのプロセッサに結合されたメモリと
を備える、装置。
【請求項２７】
ユーザ機器（ＵＥ）による半二重（ＨＤ）動作のための装置であって、
少なくとも１つのサブフレームについて、基地局によって前記ＵＥと通信するために使用される異なるコンポーネントキャリア（ＣＣ）上のアップリンクサブフレームとダウンリンクサブフレームとが重複することを判断することと、前記少なくとも１つのサブフレーム中に送信すべきか受信すべきかを判断するための少なくとも１つの優先度付けルールに従うこととを行うように構成された少なくとも１つのプロセッサと、
前記少なくとも１つのプロセッサに結合されたメモリと
を備える、装置。
【請求項２８】
コードを記憶したコンピュータ可読媒体を備える、基地局によって通信するためのコンピュータプログラム製品であって、前記コードが、
ユーザ機器（ＵＥ）が半二重（ＨＤ）または全二重（ＦＤ）で通信すべきか否かを判断することと、
前記判断に少なくとも部分的に基づいて異なるコンポーネントキャリア（ＣＣ）上のリソースまたは前記ＵＥとの通信をスケジュールすることと
を行うために１つまたは複数のプロセッサによって実行可能である、コンピュータプログラム製品。
【請求項２９】
コードを記憶したコンピュータ可読媒体を備える、ユーザ機器（ＵＥ）による半二重（ＨＤ）動作のためのコンピュータプログラム製品であって、前記コードが、
少なくとも１つのサブフレームについて、基地局によって前記ＵＥと通信するために使用される異なるコンポーネントキャリア（ＣＣ）上のアップリンクサブフレームとダウンリンクサブフレームとが重複することを判断することと、
前記少なくとも１つのサブフレーム中に送信すべきか受信すべきかを判断するための少なくとも１つの優先度付けルールに従うことと
を行うために１つまたは複数のプロセッサによって実行可能である、コンピュータプログラム製品。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１１年１０月３日に出願された「HALF-DUPLEX/FULL-DUPLEX OPERATION FOR TDD CARRIER AGGREGATION」と題する米国仮出願第６１／５４２，７６５号の優先権を主張する。
【０００２】
[0002]本開示の態様は、一般にワイヤレス通信システムに関し、より詳細には、キャリアアグリゲーション（carrier aggregation）および時分割複信（ＴＤＤ：time division duplex）技法を利用するそのようなシステムに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
[0005]本明細書では、キャリアアグリゲーションを使用するワイヤレス通信のための技法について説明する。
【０００６】
[0006]一態様では、基地局によるワイヤレス通信のための方法が提供される。本方法は、概して、ユーザ機器（ＵＥ）が半二重（ＨＤ：half-duplex）または全二重（ＦＤ：full-duplex）で通信すべきか否かを判断することと、判断に少なくとも部分的に基づいて異なるコンポーネントキャリア（ＣＣ：component carrier）上のリソースまたはＵＥとの通信をスケジュールすることとを含む。
【０００７】
[0007]別の態様では、ユーザ機器によるワイヤレス通信のための方法が提供される。本方法は、概して、少なくとも１つのサブフレームについて、基地局によってＵＥと通信するために使用される異なるコンポーネントキャリア（ＣＣ）上のアップリンクサブフレームとダウンリンクサブフレームとが重複することを判断することと、少なくとも１つのサブフレーム中に送信すべきか受信すべきかを判断するための少なくとも１つの優先度付けルール（prioritization rule）に従うこととを含む。
【０００８】
[0008]一態様によれば、基地局によって通信するための装置が提供される。本装置は、概して、ユーザ機器（ＵＥ）が半二重（ＨＤ）または全二重（ＦＤ）で通信すべきか否かを判断するための手段と、判断に少なくとも部分的に基づいて異なるコンポーネントキャリア（ＣＣ）上のリソースまたはＵＥとの通信をスケジュールするための手段とを含む。
【０００９】
[0009]一態様によれば、ユーザ機器（ＵＥ）による半二重（ＨＤ）動作のための装置が提供される。本装置は、概して、少なくとも１つのサブフレームについて、基地局によってＵＥと通信するために使用される異なるコンポーネントキャリア（ＣＣ）上のアップリンクサブフレームとダウンリンクサブフレームとが重複することを判断するための手段と、少なくとも１つのサブフレーム中に送信すべきか受信すべきかを判断するための少なくとも１つの優先度付けルールに従うための手段とを含む。
【００１０】
[0010]一態様によれば、基地局によって通信するための装置が提供される。本装置は、概して、ユーザ機器（ＵＥ）が半二重（ＨＤ）または全二重（ＦＤ）で通信すべきか否かを判断することと、判断に少なくとも部分的に基づいて異なるコンポーネントキャリア（ＣＣ）上のリソースまたはＵＥとの通信をスケジュールすることとを行うように構成された少なくとも１つのプロセッサと、少なくとも１つのプロセッサに結合されたメモリとを含む。
【００１１】
[0011]一態様によれば、ユーザ機器（ＵＥ）による半二重（ＨＤ）動作のための装置が提供される。本装置は、概して、少なくとも１つのサブフレームについて、基地局によってＵＥと通信するために使用される異なるコンポーネントキャリア（ＣＣ）上のアップリンクサブフレームとダウンリンクサブフレームとが重複することを判断することと、少なくとも１つのサブフレーム中に送信すべきか受信すべきかを判断するための少なくとも１つの優先度付けルールに従うこととを行うように構成された少なくとも１つのプロセッサと、少なくとも１つのプロセッサに結合されたメモリとを含む。
【００１２】
[0012]一態様によれば、コードを記憶したコンピュータ可読媒体を備える、基地局によって通信するためのコンピュータプログラム製品が提供される。コードは、概して、ユーザ機器（ＵＥ）が半二重（ＨＤ）または全二重（ＦＤ）で通信すべきか否かを判断することと、判断に少なくとも部分的に基づいて異なるコンポーネントキャリア（ＣＣ）上のリソースまたはＵＥとの通信をスケジュールすることとを行うために１つまたは複数のプロセッサによって実行可能である。
【００１３】
[0013]一態様によれば、コードを記憶したコンピュータ可読媒体を備える、ユーザ機器（ＵＥ）による半二重（ＨＤ）動作のためのコンピュータプログラム製品が提供される。コードは、概して、少なくとも１つのサブフレームについて、基地局によってＵＥと通信するために使用される異なるコンポーネントキャリア（ＣＣ）上のアップリンクサブフレームとダウンリンクサブフレームとが重複することを判断することと、少なくとも１つのサブフレーム中に送信すべきか受信すべきかを判断するための少なくとも１つの優先度付けルールに従うこととを行うために１つまたは複数のプロセッサによって実行可能である。
【００１４】
[0014]本開示の様々な態様および特徴について以下でさらに詳細に説明する。
【図面の簡単な説明】
【００１５】
【図１】[0015]電気通信システムの一例を概念的に示すブロック図。
【図２】[0016]電気通信システムにおけるダウンリンクフレーム構造の一例を概念的に示すブロック図。
【図３】[0017]本開示の一態様に従って構成された基地局／ｅノードＢおよびＵＥの設計を概念的に示すブロック図。
【図４Ａ】[0018]連続キャリアアグリゲーションタイプを開示する図。
【図４Ｂ】[0019]不連続キャリアアグリゲーションタイプを開示する図。
【図５】[0020]ＭＡＣレイヤデータアグリゲーションを開示する図。
【図６】[0021]複数キャリア構成において無線リンクを制御するための方法を示すブロック図。
【図７】[0022]マクロセルと限定加入者グループ（closed subscriber group）とを備える例示的なワイヤレスネットワーク構成を示す図。
【図８】[0023]例示的なＴＤＤモードサブフレーム構成を示す図。
【図８Ａ】[0023]例示的なＴＤＤモードサブフレーム構成を示す図。
【図９】[0024]ワイヤレス通信の例示的なプロセスのフローチャート表現を示す図。
【図１０】[0025]基地局において実行され得るワイヤレス通信のための例示的な動作のフローチャート表現を示す図。
【図１１】[0026]ユーザ機器（ＵＥ）において実行され得るワイヤレス通信のための例示的な動作のフローチャート表現を示す図。
【発明を実施するための形態】
【００１６】
[0027]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１７】
[0028]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１８】
[0029]図１に、ワイヤレス通信ネットワーク１００を示し、これはＬＴＥネットワークであり得る。ワイヤレスネットワーク１００は、いくつかの発展型ノードＢ（ｅノードＢ）１１０と他のネットワークエンティティとを含み得る。ｅノードＢは、ＵＥと通信する局であり得、基地局、アクセスポイントなどと呼ばれることもある。ノードＢは、ＵＥと通信する局の別の例である。
【００１９】
[0030]各ｅノードＢ１１０は、特定の地理的エリアに通信カバレージを提供し得る。３ＧＰＰでは、「セル」という用語は、この用語が使用されるコンテキストに応じて、ｅノードＢのカバレージエリアおよび／またはこのカバレージエリアをサービスしているｅノードＢサブシステムを指すことがある。
【００２０】
[0031]ｅノードＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ）中のＵＥ、自宅内のユーザのためのＵＥなど）による制限付きアクセスを可能にし得る。マクロセルのためのｅノードＢはマクロｅノードＢと呼ばれることがある。ピコセルのためのｅノードＢはピコｅノードＢと呼ばれることがある。フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００２１】
[0032]ワイヤレスネットワーク１００はまた、中継局を含み得る。中継局は、上流局（たとえば、ｅノードＢまたはＵＥ）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００２２】
[0033]ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、およびリレーは、より低い送信電力レベル（たとえば、１ワット）を有し得る。
【００２３】
[0034]ワイヤレスネットワーク１００は、同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作と非同期動作の両方のために使用され得る。
【００２４】
[0035]ネットワークコントローラ１３０は、ｅノードＢのセットに結合し、これらのｅノードＢの協調および制御を行い得る。ネットワークコントローラ１３０は、バックホール（backhaul）を介してｅノードＢ１１０と通信し得る。ｅノードＢ１１０はまた、たとえば、ワイヤレスバックホールまたはワイヤラインバックホールを介して直接または間接的に互いに通信し得る。
【００２５】
[0036]ＵＥ１２０は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２６】
[0037]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割当ては１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２７】
[0038]図２に、ＬＴＥにおいて使用されるダウンリンクフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は１４個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２８】
[0039]ＬＴＥでは、ｅノードＢは、ｅノードＢ中の各セルについて１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２９】
[0040]ｅノードＢは、図２の第１のシンボル期間全体において示されているが、各サブフレームの第１のシンボル期間の一部のみにおいて物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割当てに関する情報と、アップリンクチャネルのための電力制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥについてのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３０】
[0041]ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００３１】
[0042]各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して許可され得る。
【００３２】
[0043]ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して許可される組合せの数よりも少ない。ｅノードＢは、ＵＥが探索することになる組合せのいずれかにおいてＵＥにＰＤＣＣＨを送り得る。
【００３３】
[0044]ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３４】
[0045]図３に、図１の基地局／ｅノードＢのうちの１つおよびＵＥのうちの１つであり得る、基地局／ｅノードＢ１１０およびＵＥ１２０の設計のブロック図を示す。制限付き関連付けシナリオの場合、基地局１１０は図１のマクロｅノードＢ１１０ｃであり得、ＵＥ１２０はＵＥ１２０ｙであり得る。基地局１１０はまた、何らかの他のタイプの基地局であり得る。基地局１１０はアンテナ６３４ａ〜６３４ｔを装備し得、ＵＥ１２０はアンテナ６５２ａ〜６５２ｒを装備し得る。
【００３５】
[0046]基地局１１０において、送信プロセッサ６２０は、データソース６１２からデータを受信し、コントローラ／プロセッサ６４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ６２０は、データと制御情報とを処理（たとえば、符号化およびシンボルマッピング）して、それぞれデータシンボルと制御シンボルとを取得し得る。プロセッサ６２０はまた、たとえば、ＰＳＳ、ＳＳＳ、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームを変調器（ＭＯＤ）６３２ａ〜６３２ｔに与え得る。各変調器６３２は、（たとえば、ＯＦＤＭなどのために）それぞれの出力シンボルストリームを処理して、出力サンプルストリームを取得し得る。各変調器６３２はさらに、出力サンプルストリームを処理（たとえば、アナログへの変換、増幅、フィルタ処理、およびアップコンバート）して、ダウンリンク信号を取得し得る。変調器６３２ａ〜６３２ｔからのダウンリンク信号は、それぞれアンテナ６３４ａ〜６３４ｔを介して送信され得る。
【００３６】
[0047]ＵＥ１２０において、アンテナ６５２ａ〜６５２ｒは、基地局１１０からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出されたシンボルを与え得る。受信プロセッサ６５８は、検出シンボルを処理（たとえば、復調、デインターリーブ、および復号）し、ＵＥ１２０の復号されたデータをデータシンク６６０に与え、復号された制御情報をコントローラ／プロセッサ６８０に与え得る。
【００３７】
[0048]アップリンク上では、ＵＥ１２０において、送信プロセッサ６６４は、データソース６６２から（たとえば、ＰＵＳＣＨのための）データを受信し、処理し得、コントローラ／プロセッサ６８０から（たとえば、ＰＵＣＣＨのための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）復調器６５４ａ〜６５４ｒによって処理され、基地局１１０に送信され得る。基地局１１０において、ＵＥ１２０からのアップリンク信号は、アンテナ６３４によって受信され、変調器６３２によって処理され、適用可能な場合はＭＩＭＯ検出器６３６によって検出され、さらに受信プロセッサ６３８によって処理されて、ＵＥ１２０によって送られた復号されたデータおよび制御情報が取得され得る。受信プロセッサ６３８は、復号されたデータをデータシンク６３９に与え、復号された制御情報をコントローラ／プロセッサ６４０に与え得る。
【００３８】
[0049]コントローラ／プロセッサ６４０および６８０は、それぞれ基地局１１０およびＵＥ１２０における動作を指示し得る。基地局１１０におけるプロセッサ６４０および／または他のプロセッサおよびモジュールは、本明細書で説明する技法のための様々なプロセスを実行するかまたはその実行を指示し得る。ＵＥ１２０におけるプロセッサ６８０および／または他のプロセッサおよびモジュールはまた、図４Ａ、図４Ｂ、図５および図６に示す機能ブロック、および／または本明細書で説明する技法のための他のプロセスを実行するかまたはその実行を指示し得る。メモリ６４２および６８２は、それぞれ基地局１１０およびＵＥ１２０のためのデータおよびプログラムコードを記憶し得る。スケジューラ６４４は、ダウンリンクおよび／またはアップリンク上でのデータ送信のためにＵＥをスケジュールし得る。
【００３９】
[0050]一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言（declare）するための手段とを含む。一態様では、上述の手段は、上述の手段によって具陳される機能を実行するように構成された、（１つまたは複数の）プロセッサ、コントローラ／プロセッサ６８０、メモリ６８２、受信プロセッサ６５８、ＭＩＭＯ検出器６５６、復調器６５４ａ、およびアンテナ６５２ａであり得る。別の態様では、上述の手段は、上述の手段によって具陳される機能を実行するように構成されたモジュールまたは任意の装置であり得る。
【００４０】
キャリアアグリゲーション
[0051]ＬＴＥ−Ａｄｖａｎｃｅｄ  ＵＥは、各方向において送信のために使用される最高合計１００ＭＨｚ（５つのコンポーネントキャリア）のキャリアアグリゲーションにおいて割り当てられた、最高２０ＭＨｚ帯域幅内のスペクトルを使用する。概して、アップリンク上ではダウンリンクよりも少ないトラフィックが送信され、したがって、アップリンクスペクトル割当てはダウンリンク割当てよりも小さくなり得る。たとえば、２０ＭＨｚがアップリンクに割り当てられる場合、ダウンリンクは１００ＭＨｚを割り当てられ得る。これらの非対称ＦＤＤ割当ては、スペクトルを節約し、ブロードバンド加入者による一般に非対称な帯域利用にぴったり合う。
【００４１】
キャリアアグリゲーションタイプ
[0052]ＬＴＥ−Ａｄｖａｎｃｅｄモバイルシステムのために、２つのタイプのキャリアアグリゲーション（ＣＡ）方法、すなわち、連続ＣＡおよび不連続ＣＡが提案されている。それらを図４Ａおよび図４Ｂに示す。不連続ＣＡは、複数の利用可能なコンポーネントキャリアが周波数帯域に沿って分離されたときに生じる（図４Ｂ）。一方、連続ＣＡは、複数の利用可能なコンポーネントキャリアが互いに隣接するときに生じる（図４Ａ）。不連続ＣＡと連続ＣＡの両方は、ＬＴＥ  Ａｄｖａｎｃｅｄ  ＵＥの単一ユニットを処理するために複数のＬＴＥ／コンポーネントキャリアをアグリゲートする。
【００４２】
[0053]ＬＴＥ−Ａｄｖａｎｃｅｄ  ＵＥにおける不連続ＣＡでは、周波数帯域に沿ってキャリアが分離されるので、複数のＲＦ受信ユニットと複数のＦＦＴとが配備され得る。不連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００４３】
[0054]したがって、非連続ＣＡ手法の下でブロードバンドデータ送信をサポートするために、異なるコンポーネントキャリアのためのコーディング、変調、および送信電力を適応的に調整するための方法が使用され得る。たとえば、拡張ノードＢ（ｅノードＢ）が各コンポーネントキャリア上の送信電力を固定しているＬＴＥ−Ａｄｖａｎｃｅｄシステムでは、各コンポーネントキャリアの有効カバレージまたはサポート可能な変調およびコーディングが異なり得る。
【００４４】
データアグリゲーション方式
[0055]図５に、ＩＭＴ−Ａｄｖａｎｃｅｄシステムの場合の媒体アクセス制御（ＭＡＣ）レイヤ（図５）において異なるコンポーネントキャリアからの送信ブロック（ＴＢ：transmission block）をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディング方式、ならびに複数のアンテナ構成）を有する。同様に、物理レイヤでは、コンポーネントキャリアごとに１つのＨＡＲＱエンティティが与えられる。
【００４５】
制御シグナリング
[0056]一般に、複数のコンポーネントキャリアのための制御チャネルシグナリングを展開するための３つの異なる手法がある。第１は、ＬＴＥシステムにおける制御構造の軽微な変更を伴い、各コンポーネントキャリアは、それ自体のコード化制御チャネルを与えられる。
【００４６】
[0057]第２の方法は、異なるコンポーネントキャリアの制御チャネルをジョイントコーディングし、専用のコンポーネントキャリア中に制御チャネルを展開することを伴う。複数のコンポーネントキャリアのための制御情報は、この専用制御チャネルでは、シグナリングコンテンツとして統合される。その結果、ＬＴＥシステムにおいて制御チャネル構造との後方互換性が維持されるとともに、ＣＡでのシグナリングオーバーヘッドが低減される。
【００４７】
[0058]異なるコンポーネントキャリアのための複数の制御チャネルは、ジョイントコーディングされ、次いで、第３のＣＡ方法によって形成される全周波数帯域を介して送信される。この手法は、制御チャネルにおいて低いシグナリングオーバーヘッドと高い復号性能とを提供するが、ＵＥ側の電力消費量が高くなる。ただし、この方法は、ＬＴＥシステムとの互換性がない。
【００４８】
ハンドオーバ制御
[0059]ＩＭＴ−Ａｄｖａｎｃｅｄ  ＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、入来ＵＥのために十分なシステムリソース（すなわち、良好な送信品質をもつコンポーネントキャリア）を確保することが、次のｅノードＢにとって難しいことがある。この理由は、２つ（またはそれ以上）の隣接するセル（ｅノードＢ）のチャネル状態が、特定のＵＥについて異なり得るからである。１つの手法では、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００４９】
[0060]様々な実施形態によれば、（キャリアアグリゲーションとも呼ばれる）マルチキャリアシステムにおいて動作するＵＥは、「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、随意の専用チャネル（ＤＣＨ）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００５０】
[0061]いくつかの実施形態では、複数の１次キャリアが存在し得る。さらに、ＬＴＥ  ＲＲＣプロトコルの３ＧＰＰ技術仕様３６．３３１におけるものなど、レイヤ２プロシージャである物理チャネル確立およびＲＬＦプロシージャを含む、ＵＥの基本動作に影響を及ぼすことなしに、２次キャリアが追加または削除され得る。
【００５１】
[0062]図６に、一例による、物理チャネルをグループ化することによって複数キャリアワイヤレス通信システムにおいて無線リンクを制御するための方法６００を示す。図示のように、本方法は、ブロック６０５において、１次キャリアと、１つまたは複数の関連する２次キャリアとを形成するために、少なくとも２つのキャリアからの制御機能を１つのキャリア上にアグリゲートすることを含む。次にブロック６１０において、１次キャリアと各２次キャリアとのための通信リンクを確立する。次いで、ブロック６１５において、１次キャリアに基づいて通信を制御する。
【００５２】
ＴＤＤキャリアアグリゲーション
[0063]現行バージョンのロングタームエボリューション（ＬＴＥ）リリース１０（Ｒｅｌ−１０）など、いくつかの従来のワイヤレス通信規格は、時間領域多重（ＴＤＤ）専用または周波数領域多重（ＦＤＤ）専用コンポーネントキャリア（ＣＣ）のアグリゲーションを可能にする。しかしながら、ワイヤレス帯域幅に対する需要が増加するにつれて、追加の技法が必要とされ得る。時間および／または周波数領域においてＣＣをアグリゲートすること（たとえば、周波数領域多重（ＦＤＤ）または時間領域多重（ＴＤＤ）アグリゲーション）は、特に、帯域幅に対する需要の増加に対処するために使用される技法であり得る。
【００５３】
[0064]いくつかの設計では、ＴＤＤキャリアは、別のＴＤＤキャリアのアップリンク（ＵＬ）部分（たとえば、ＵＬとして指定されたサブフレームのみ）またはダウンリンク（ＤＬ）部分（たとえば、ＤＬに指定されたサブフレームのみ）のみとアグリゲートされ得る（単方向アグリゲーションと呼ばれる）。
【００５４】
[0065]図７を参照すると、マクロセル７０２と限定加入者グループ（ＣＳＧ）７０４とを備えるワイヤレスネットワーク７００におけるＴＤＤ−ＴＤＤアグリゲーションを実装する例示的な例が記載されている。図７の図示された例では、たとえば、ＴＤＤキャリアであり得るＣＣ１およびＣＣ２の２つのコンポーネントキャリアが仮定されており、ＣＣ１はマクロセル７０２のためのアンカーコンポーネントキャリアであり、ＣＣ２はＣＳＧ７０４のためのアンカーコンポーネントキャリアである。
【００５５】
[0066]図示のように、ＵＥ７１０はＣＳＧ７０４の一部であり得る。ＵＥ７１２など、いくつかのＵＥはＣＳＧ７０４のカバレージ内にあり得るが、たとえば、ＣＳＧ７０４での制限付きアクセスのために、ＣＳＧ７０４のｅＮＢ７１４に接続することが可能でないことがある。図７中の、ｅＮＢ７１４、７１６を対応するＵＥ７１０および７１２と結んでいる片側矢印をもつ線は、可能な単方向キャリアアグリゲーション（ＵＬまたはＤＬのみ）を表し得、両側矢印をもつ線は、可能な双方向ＵＬおよびＤＬキャリアアグリゲーションであり得る。
【００５６】
[0067]図７では、ＣＣ１上の送信は実線の矢印で示され、ＣＣ２上の送信は破線矢印で示されている。図示のように、各コンポーネントキャリアは、（片側矢印で示される）単方向ＣＣまたは（両側矢印で示される）双方向ＣＣであり得、双方向コンポーネントキャリアはＵＬキャリアとＤＬキャリアとを備え、単方向コンポーネントキャリアはＵＬキャリアまたはＤＬキャリアのいずれかを備える。
【００５７】
[0068]ＬＴＥ  ＴＤＤ  ＣＣは、アップリンクとダウンリンクとについて同じ周波数帯域を使用するシングルキャリアである。送信方向は、異なるサブフレーム中でＵＬデータとＤＬデータとを搬送することによって分離される。アップリンクサブフレームおよびダウンリンクサブフレーム割当ては周期的であり、ダウンリンクとアップリンクとの切替えポイントの周期性によって定義される。周期性は１０ミリ秒または５ミリ秒であり得る。図８参照。一方、ＬＴＥ  ＦＤＤ  ＣＣは、ペアになった周波数キャリア（１つがＵＬ、もう１つがＤＬ）を使用して周波数中でＵＬとＤＬとを分離する。
【００５８】
[0069]いくつかの設計では、マクロセル７０２において実行されるアグリゲーションは、ＣＳＧ７０４のためのアンカーＣＣ２を保護し得る（たとえば、アグリゲートしない）。したがって、いくつかの設計では、ＣＣ１はＵＬとＤＬの両方においてアグリゲートされ得、ＣＣ２はＤＬサブフレームのみでアグリゲートされ得る。さらに、アグリゲーションがＣＳＧ７０４において実行される場合、アグリゲートされたキャリアは、マクロセル７０２によって使用されるＤＬキャリアが保護されるようなものでなければならない。したがって、いくつかの設計では、キャリアＣＣ２はＵＬおよび／またはＤＬ方向の両方においてアグリゲートされ得るが、ＣＣ１はＤＬサブフレームではなくＵＬサブフレームのみでアグリゲートされ得る。
【００５９】
ＴＤＤキャリアアグリゲーションのための半二重／全二重動作
[0070]異なるＵＬ−ＤＬサブフレーム構成をもつＴＤＤキャリアのキャリアアグリゲーションが考慮され得る。対処すべき問題の１つは、このタイプのキャリアアグリゲーションに関係する全二重対半二重動作に関する。異なるサブフレーム構成の場合、ダウンリンクサブフレームとアップリンクサブフレームとは重複し得、異なるコンポーネントキャリア上でのダウンリンク送信とアップリンク送信とが同じサブフレーム中で行われることを意味する。これは図８Ａに示されており、図８Ａは、２つの異なるＣＣのために使用される２つの異なる構成の一例を示している。
【００６０】
[0071]概して、従来のシステムは、ＴＤＤのための半二重動作のみを利用した。しかしながら、本開示の態様は、ＵＥが異なるＵＬ−ＤＬ構成のキャリアを有するとき、全二重動作を可能にし、いくつかの事例では、ＵＥは同時に送信および受信することが可能である。
【００６１】
[0072]（キャリアが異なる帯域中にあるという採用された仮定により、「キャリアごとの」無線が利用可能でなければならないことに当てはまらないことがある）アーキテクチャ上の理由によって半二重動作が課せられず、ＵＥはＨＤ動作とＦＤ動作の両方が可能であり得ることを意味する場合、本明細書で提示されるいくつかの態様では、ＵＥをどのように扱うか、ＨＤとして、スケジューリング制限を採用するか、ＦＤとして、異なるＣＣ上で同時に送信および受信するかに関する決定をｅＮＢに行わせることによって、この問題に対処し得る。以下で説明するように、ＵＥがどのように見なされるべきか（ＦＤとしてまたはＨＤとして）を決定するときに、様々な基準が考慮され得る。
【００６２】
[0073]異なるＵＬ−ＤＬサブフレーム構成をもつＴＤＤキャリアアグリゲーション（ＣＡ）を利用することは、概して、異なるコンポーネントキャリア（ＣＣ）上の一部のサブフレーム上で、ＵＬおよびＤＬサブフレームが図８Ａに示すように重複することを暗示する。
【００６３】
[0074]ＵＥが全二重（ＦＤ）モードで動作している場合、ＵＥは、問題なく、異なるＣＣ上で同時に送信および受信することが可能であり得るので、これは問題ではないことがある。しかしながら、ＵＥが、半二重（ＨＤ）通信のみをサポートする場合、または（受信している間に送信することによって生じる干渉を低減するために）感知しないこと（de-sensing）などの様々な理由でＨＤに限定される場合、これは課題を提示し得る。この場合、重複ＵＬ−ＤＬサブフレーム上で、ＵＥは、送信することまたは受信することのみが可能であり得る。
【００６４】
[0075]各ＵＬ−ＤＬサブフレーム重複に関して、ＵＥは、１つまたは複数の優先度付けルールに従って送信するように構成され得る。たとえば、データ、ＣＱＩ、またはＡＣＫ／ＮＡＣＫフィードバックなど、何かが通過する（ＰＵＣＣＨ／ＰＵＳＣＨ）場合、ＵＥはＵＬ上で送信するように構成され得る。この場合、ＤＬ受信は制限されるかまたは完全に停止され得る。場合によっては、ＵＬ送信が予定されるとき、すべてのＣＣ上のＤＬサブフレームはブロックされる。
【００６５】
[0076]場合によっては、ＵＬサブフレーム中でさえ、たとえば、ＵＥが別のＣＣ上のＵＬ上の送信のために使用されるものとは別のＲＦチェーンを有する場合、ＵＥはＣＣ上でのＤＬ受信が可能であり得る。ただし、そのような場合、（たとえば、送信によって生じる干渉により）受信した信号は不良であり、したがって破棄され得る。したがって、優先度付けルールは、ＵＥが少なくとも１つのサブフレーム中に少なくとも１つのコンポーネントキャリア（ＣＣ）上のダウンリンク受信を続け、信号品質が十分でない場合、対応するダウンリンク送信を破棄すべきであることを規定し得る。
【００６６】
[0077]したがって、場合によっては、重複するサブフレームでは、ＵＬ送信が予定されない場合のみ、ＵＥはＤＬ上で受信するように構成され得る。
【００６７】
[0078]潜在的限定のために、ｅＮＢ（または全般的に任意のタイプの基地局）は、ＵＥ  ＨＤ動作の場合の消失ＤＬを回避するために、あるタイプのインテリジェントスケジューリングアルゴリズムを利用し得る。これは、スケジューリング制限を課し得る。たとえば、１次コンポーネントキャリア（ＰＣＣ）がＵＬ送信のために多量に使用されている場合、ＰＵＣＣＨ送信により、より多くのスケジューリング制限があり得る。一方、ＰＣＣがＤＬのために多量に使用される場合、スケジューリング制限はＰＵＳＣＨスケジュール送信のみの関数であるので、スケジューリング制限を適用／計画することがより容易であり得る。
【００６８】
[0079]ＵＥによるＨＤ動作は、アーキテクチャ上の制限または動作上の制限から生じ得る。アーキテクチャ上の制限の場合、ＵＥがアーキテクチャ的に同時に受信および送信することができないことにより、ＨＤ動作が課せられ得る。運用上、感知しない問題（受信信号への送信干渉）によりＨＤ動作が課せられるＲＦ制限があり得る。
【００６９】
[0080]しかしながら、アーキテクチャ制限がないとき、ｅＮＢは、一部のＵＥについてＦＤ動作を、何らかの他のグループのＵＥについてＨＤ動作を仮定し得る。ＦＤ  ＵＥは同じサブフレームにおいて送信および受信することができ、したがって、スケジューリング制限がほとんどまたはまったくないことがある。一方、ＨＤ  ＵＥは、それらが送信しないときのみ受信することができる。（前に述べた）スケジューリング制限は、リソースの浪費を回避するためにｅＮＢによって実装され得る。
【００７０】
[0081]ＵＥによるＦＤまたはＨＤ動作に関する情報を搬送するために、様々なシグナリングオプションがある。場合によっては、ＵＥは、それのＦＤ／ＨＤ能力に関してｅＮＢにシグナリングし得る。そのような場合、ｅＮＢは、ＵＥがＦＤ対応であると判断し、したがってリソースをスケジュールし得る。場合によっては、ｅＮＢがＵＥをＦＤ  ＵＥまたはＨＤ  ＵＥと見なすことをＵＥに示すシグナリングを、ｅＮＢは送信（返信）し得る。場合によっては、（たとえば、変化する状態に基づいて、またはＵＥからの更新された能力メッセージに基づいて）判断は変わり得る。
【００７１】
[0082]ＵＥをＦＤ対応として扱うべきかＨＤ対応として扱うべきかを判断するために、ｅＮＢが利用し得る様々な基準がある（たとえば、判断は１つまたは複数のパラメータに基づいて行われ得る）。これらの基準のうちの１つまたは複数は、ＵＥの相対的送信および／または受信電力（たとえば、受信している間に送信することによって生じる可能性がある干渉を示す）に関係し得る。これらの基準は、ＵＥロケーション（基地局により近いＵＥはより低い送信電力およびより高い受信機電力を有する可能性がある）、ＵＥ送信電力、ＵＥ受信電力、または送信電力と受信電力との比を含み得る。
【００７２】
[0083]ターゲット復調ＳＮＲ、ＵＥアンテナ構成、Ｒｘダイバーシティ能力およびＴｘ−Ｒｘアンテナ結合、一般的なＵＥ能力、ＵＬおよび／またはＤＬ上の割り当てられたリソースなど、様々な他の基準も考慮され得る。重複ＵＬ−ＤＬサブフレームをもつＣＣが位置する割り当てられたリソース（たとえば、帯域、チャネルおよびリソース）間の周波数分離も考慮され得る。たとえば、送信および受信のために使用されるＣＣ間の実質的な周波数分離は、干渉の量を低減し得る。
【００７３】
[0084]ＵＥ自体によってシグナリングされる、ＨＤまたはＦＤをサポートする能力に関するＵＥ能力も考慮され得る。場合によっては、ＨＤ動作とＦＤ動作の両方が可能なＵＥは、それのアーキテクチャ上の能力および／または上に記載したすべての側面に基づいてどちらを使用すべきかに関する決定を行い、この決定をｅＮＢにシグナリングし得る。
【００７４】
[0085]ＵＥの観点から、ＨＤモードで動作するときに、ＵＥは、単に、（ＵＬサブフレームとＤＬサブフレームとが異なるコンポーネントキャリア上に生じる）重複サブフレームでどのように動作すべきかを決定するための優先度付けルールに従い得る。上述したように、ＵＬ上で送信すべきものがない場合のみ、優先度付けルールはＤＬ送信を受信するのと同じように単純であり得る。
【００７５】
[0086]ＵＥは、依然として、ＵＬ−ＤＬ重複サブフレーム上でＵＬ−ＤＬ送信間で動的に切り替え、たとえば、同じＲＦチェーンが使用される場合、厳密なＨＤの場合、４ｍｓ繰上げに従わなければならないことがある。ｅＮＢによって課せられるスケジューリング制限により、何らかのスケジューリング遅延（パケット遅延）が観測され得る。
【００７６】
[0087]ｅＮＢの観点から、判断されたＵＥ能力に基づいてリソースを効率的にスケジュールするのを助けるために、インテリジェントスケジューリングアルゴリズムが利用され得る。このアルゴリズムは、比較的複雑であり得、アグリゲートされたＵＬ−ＤＬ構成に依存し得る。マルチユーザダイバーシティが十分に利用され得ない場合、ユーザ遅延エクスペリエンスに加えてシステムスループット性能損失が予想され得る。
【００７７】
[0088]ｅＮＢが、ＨＤ／ＦＤ動作についてのＵＥの能力に関して誤り（たとえば、送信している間に良好なＤＬを受信するＵＥの能力を誤って推定すること）をおかし、実際にＤＬ上でそれのために何かを送ったが、感知しないことまたはＦＤ能力がないことにより、ＵＥがそれを受信することができない場合、何らかの性能損失があり得る。
【００７８】
[0089]ただし、予想されるＵＬ送信がないことに基づいて、ネットワークは、これを最終的に検出することが可能でなければならない。したがって、ネットワークは、ＵＥの動作モードに関するそれの決定を訂正することが可能であり得る。さらに、ｅＮＢは、ＵＥからの明示的シグナリングに基づいてそれの動作を訂正することが可能であり得る。
【００７９】
[0090]場合によっては、ｅＮＢは、異なるＣＣについて異なるサブフレーム構成を利用するキャリアアグリゲーションに制限を課し得る。たとえば、ＨＤ動作についてスケジューリング制限を課すのではなく、ｅＮＢは、このタイプのアグリゲーションをＦＤ対応ＵＥに限定し得る。
【００８０】
[0091]場合によっては、２つ以下のＵＬ−ＤＬ構成をアグリゲートすること、または（たとえば、重複サブフレームの最大数に対する制限を用いて）まったく異なるサブフレーム構成をアグリゲートしないことなど、ＦＤをサポートする能力がないＵＥのために、限定されたキャリアアグリゲーションが可能にされ得る。
【００８１】
[0092]図９は、重複サブフレームが生じた場合に優先度付けルールを実装するための例示的な動作９００を示すフローチャートである。動作９００は、９０２において開始し、たとえば、半二重または全二重で通信することが可能であるＵＥによって実行され得る。（９０４において判断されるように）ＦＤモードで動作するＵＥに対する制限がない場合、ＵＥは他の動作を実行する必要がないことがある。
【００８２】
[0093]ただし、ＵＥが半二重であり、９０６において判断されるように、異なるコンポーネントキャリア上のＵＬサブフレームとＤＬサブフレームとが重複する場合、ＵＥは送信すべきか受信すべきかを決定する必要があり得る。９０８において、ＵＥトラフィック（たとえば、ＰＵＣＣＨまたはＰＵＳＣＨ）がある場合、ＵＥはＤＬ受信を停止し、ＵＬ上で送信する。一方、９１０において、ＵＬトラフィックがない場合、ＵＥはＤＬ上で受信する。
【００８３】
[0094]図１０は、基地局において実行され得るワイヤレス通信のための例示的な動作１０００を示すフローチャートである。図示のように、１００２において、基地局は、ユーザ機器（ＵＥ）が半二重（ＨＤ）または全二重（ＦＤ）で通信すべきか否かを判断し得る。１００４において、基地局は、判断に少なくとも部分的に基づいて異なるコンポーネントキャリア（ＣＣ）上のリソースまたはＵＥとの通信をスケジュールする。
【００８４】
[0095]図１１は、ユーザ機器（ＵＥ）において実行され得るワイヤレス通信のための例示的な動作１１００のフローチャート表現である。図示のように、１１０２において、ＵＥは、少なくとも１つのサブフレームについて、基地局によってＵＥと通信するために使用される異なるコンポーネントキャリア（ＣＣ）上のアップリンクサブフレームとダウンリンクサブフレームとが重複することを判断する。１１０４において、ＵＥは、少なくとも１つのサブフレーム中に送信すべきか受信すべきかを判断するための少なくとも１つの優先度付けルールに従う。
【００８５】
[0096]上記で説明したように、本明細書で提示した技法は、可能な場合、ＵＥが全二重モードで動作することを可能にし得る。
【００８６】
[0097]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８７】
[0098]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００８８】
[0099]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８９】
[00100]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００９０】
[00101]１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００９１】
[00102]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2014533900.tif 000003
【図２】
2014533900.tif 000004
【図３】
2014533900.tif 000005
【図４Ａ】
2014533900.tif 000006
【図４Ｂ】
2014533900.tif 000007
【図５】
2014533900.tif 000008
【図６】
2014533900.tif 000009
【図７】
2014533900.tif 000010
【図８】
2014533900.tif 000011
【図８Ａ】
2014533900.tif 000012
【図９】
2014533900.tif 000013
【図１０】
2014533900.tif 000014
【図１１】
2014533900.tif 000015
【国際調査報告】
2014533900.tif 000016
2014533900.tif 000017
2014533900.tif 000018
2014533900.tif 000019
2014533900.tif 000020
2014533900.tif 000021